(57)【要約】      （修正有）【課題】安全性を高め、伝熱効率やエネルギー効率の向上及び省エネルギー性の向上を図るサウナ装置を提供する。【解決手段】サウナ装置１０は、内部床面１３に１人の人間が横たわることのできる程度の大きさの空間を備えた横長カプセル状のケーシング本体１１と、上面が床面１３を形成するようにケーシング本体１１の底部に設けられ、内部に湯を収容可能な加熱タンク１２とを備え、加熱タンク１２の下方には、ケーシング本体１１及び加熱タンク１２とは別個の独立した加熱設備２５を設置可能な空間２６が形成されていることを特徴とする。【選択図】図１
0003150556.tif 000002
【実用新案登録請求の範囲】
【請求項１】
内部床面に１人の人間が横たわることのできる程度の大きさの空間を備えた横長カプセル状のケーシング本体と、
上面が前記床面を形成するように前記ケーシング本体の底部に設けられ、内部に湯を収容可能な加熱タンクと、
を備え、該加熱タンクの下方には、前記ケーシング本体及び前記加熱タンクとは別個の独立した加熱設備を設置可能な空間が形成されていることを特徴とするサウナ装置。
【請求項２】
内部床面に１人の人間が横たわることのできる程度の大きさの空間を備えた横長カプセル状のケーシング本体と、
上面が前記床面を形成するように前記ケーシング本体の底部に設けられ、内部に湯を収容可能な加熱タンクと、
前記ケーシング本体の外側に設けられ、内部に湯を収容可能な貯湯タンクと、
該貯湯タンクと前記加熱タンクとの間で湯を循環させるための循環設備と、
を備え、前記貯湯タンクの下方には、前記ケーシング本体及び前記貯湯タンクとは別個の独立した加熱設備を設置可能な空間が形成されていることを特徴とするサウナ装置。
【請求項３】
前記加熱設備は可搬式のＩＨヒーターである請求項１又は２に記載のサウナ装置。
【請求項４】
前記加熱タンクの上面にはタイルが貼着されている請求項１〜３のいずれか１の請求項に記載のサウナ装置。
【考案の詳細な説明】
【技術分野】
【０００１】
本考案は、内側底面部に１人の人間が横たわることのできる程度の大きさの空間を備えた個人使用可能なサウナ装置に関する。
【背景技術】
【０００２】
一般に、温泉施設や公衆浴場等には、サウナ装置が設けられていることがある。このサウナ装置は、遠赤外線を照射したりすることにより室内の温度を高め、発汗作用により利用者の体の新陳代謝を促進し、健康の増進を図ろうとするものである。
【０００３】
しかしながら、上記した従来のサウナ装置は、装置が大掛かりになるため、建設コストが高くなると共に設置場所が限定されるといった問題があった。そこで、このような問題を解決するため、近年では、個人で使用可能なサウナ装置が各種提案されている。
【０００４】
従来のこの種の個人使用可能なサウナ装置としては、例えば、ベッド状の基台の上に断熱材及びコンクリート層を設け、さらに該コンクリート層の上面にセラミックボールや鉱石を敷き詰め、前記コンクリート層の内部に発熱媒体が循環するパイプを埋設すると共に該パイプを加熱装置及びポンプに接続し、使用者が頭部を出して横たわった状態で、使用者の体に遠赤外線を照射可能なように構成した温熱ベッド型のサウナ装置などが知られている（特許文献１参照）。
【先行技術文献】
【特許文献】
【０００５】
【特許文献１】特開２００１−７０４６３号公報
【考案の概要】
【考案が解決しようとする課題】
【０００６】
しかしながら、上記した従来のサウナ装置では、サウナ装置の故障等の原因により内部が異常な高温になった場合には、使用者が火傷をする事故が発生するおそれがあり、安全性上、問題があった。
【０００７】
さらにまた、コンクリート層にパイプを埋め込む構造を採用しているため、施工に手間が掛かると共に、伝熱効率やエネルギー効率を高めることが難しく、省エネルギー性の向上を図り難いといった問題もあった。
【０００８】
本考案は、上記した課題を解決すべくなされたものであり、安全性を高めることができると共に、伝熱効率やエネルギー効率の向上、及び省エネルギー性の向上を図ることのできるサウナ装置を提供することを目的とするものである。
【課題を解決するための手段】
【０００９】
上記した目的を達成するため、本考案に係るサウナ装置は、内部床面に１人の人間が横たわることのできる程度の大きさの空間を備えた横長カプセル状のケーシング本体と、上面が前記床面を形成するように前記ケーシング本体の底部に設けられ、内部に湯を収容可能な加熱タンクとを備え、該加熱タンクの下方には、前記ケーシング本体及び前記加熱タンクとは別個の独立した加熱設備を設置可能な空間が形成されていることを特徴とする。
【００１０】
また、本考案に係るサウナ装置は、内部床面に１人の人間が横たわることのできる程度の大きさの空間を備えた横長カプセル状のケーシング本体と、上面が前記床面を形成するように前記ケーシング本体の底部に設けられ、内部に湯を収容可能な加熱タンクと、前記ケーシング本体の外側に設けられ、内部に湯を収容可能な貯湯タンクと、該貯湯タンクと前記加熱タンクとの間で湯を循環させるための循環設備とを備え、前記貯湯タンクの下方には、前記ケーシング本体及び前記貯湯タンクとは別個の独立した加熱設備を設置可能な空間が形成されていることを特徴とする。
【００１１】
そして、本考案に係るサウナ装置において、前記加熱設備は可搬式のＩＨヒーターであるのが好ましい。
【００１２】
また、本考案に係るサウナ装置において、前記加熱タンクの上面にはタイルが貼着されているのが好ましい。
【考案の効果】
【００１３】
本考案によれば、安全性を高めることができると共に、伝熱効率やエネルギー効率の向上、及び省エネルギー性の向上を図ることができる等、種々の優れた効果を得ることができる。
【図面の簡単な説明】
【００１４】
【図１】本考案の第１の実施の形態に係るサウナ装置を示す正面図である。
【図２】本考案の第１の実施の形態に係るサウナ装置を示す側面図である。
【図３】本考案の第１の実施の形態に係るサウナ装置を示す底面図である。
【図４】本考案の第１の実施の形態に係るサウナ装置の加熱タンクを示す側面図である。
【図５】本考案の第１の実施の形態に係るサウナ装置の変形例を示す正面図である。
【図６】本考案の第２の実施の形態に係るサウナ装置を示す正面図である。
【考案を実施するための形態】
【００１５】
以下、図面を参照しつつ、本考案の実施の形態について説明する。
【００１６】
先ず、図１〜図４を参照しつつ、本考案の第１の実施の形態に係るサウナ装置について説明する。ここで、図１は本考案の第１の実施の形態に係るサウナ装置を示す正面図、図２は同サウナ装置を示す側面図、図３は同サウナ装置を示す底面図、図４は同サウナ装置の加熱タンクを示す側面図である。
【００１７】
本実施の形態に係るサウナ装置１０は、カプセル状のケーシング本体１１と、ケーシング本体１１の底部に設けられる加熱タンク１２とを備えて構成されている。
【００１８】
ケーシング本体１１は、横長略円筒形状を成し、左右両側面は凸状に湾曲しており、一方側（正面視で右側）に頭部を向けた状態で１人の人間が内部の床面１３上に横たわることのできる程度の大きさの空間を備えている。床面１３上に横たわった使用者の足元側の側面（正面視で左側面）には、給気孔１４が設けられており、床面１３上に横たわった使用者の頭部側（正面視で右側）の上部には、排気孔１５が設けられている。
【００１９】
ケーシング本体１１には、出入口を開閉可能なように外側に回動可能な開閉扉１６が設けられており、開閉扉１６は、ケーシング本体１１の中央よりやや一方側（正面視で右側）の正面から上面及び背面に掛けて形成されており、背面に水平に取り付けられた蝶番（図示省略）を支点に前後に回動可能となっている。開閉扉１６の上面の左右側縁部にはそれぞれ支持部１７が立設され、両支持部１７に軸部１８が渡設されている。そして、この軸部１８の左右両端部には板バネから成る開閉補助部材１９の一端がそれぞれ枢設されており、開閉補助部材１９の他端はケーシング本体１１の上面において出入口の周囲の扉枠２０に固定されている。これにより、開閉補助部材１９は、開閉扉１６により出入口が閉鎖された時に屈曲し、開閉扉１６により出入口が開放されるに従って伸長するように設けられている。また、開閉扉１６の上面には、耐熱ガラス製の窓（図示省略）が設けられ、開閉扉１６の正面下部には、内側及び外側にそれぞれ把手２１が設けられている。
【００２０】
加熱タンク１２は、例えば、ステンレス製であり、湯温４０〜６０℃の湯を７０〜８０リットル程度収容可能なように形成されている。加熱タンク１２の上面は凹状に湾曲して床面１３を形成しており、床面１３には熱伝導性を有するタイル２２が貼着されている。また、加熱タンク１２の下面２３は平坦に形成され、下面２３には左右端部と中央部にそれぞれ脚部２４が取り付けられている。そして、加熱タンク１２の下面２３の下方には、ケーシング本体１１及び加熱タンク１２とは別個の独立した加熱設備２５を設置可能な空間２６が形成されており、加熱タンク１２の下面２３のうち空間２６に臨む部分２７は、より熱伝導性の良好なＳＵＳ４３０により形成され、この部分２７以外の加熱タンク１２は、より錆び難いＳＵＳ３０４により形成されているのが好ましい。また、加熱タンク１２には安全弁（図示省略）が接続されている。
【００２１】
加熱設備２５は、可搬式のＩＨヒーターやシーズヒータ等であり、例えば、メーカー規格品である、消費電力がＡＣ１００Ｖ・１３００Ｗ程度、寸法が幅３０ｃｍ、奥行き３０ｃｍ、高さ５ｃｍ程度の卓上タイプのＩＨ調理器を使用することができる。
【００２２】
また、加熱タンク１２には、ケーシング本体１１の前方に近接して給排水タンク２９（例えば、２リットル程度の容量）が配管２８を介して接続されており、この配管２８はケーシング本体１１の凸状側面部の下方空間を通るように配設されている。このように、サウナ装置１０の使用時に必要なケーシング本体１１の前方部分を給排水タンク２９の設置スペースに兼用すると共に、配管２８をケーシング本体１１の凸状側面部の下方空間に通すことによりサウナ装置１０の設置スペースを最小限に抑制することができる。
【００２３】
次に、上記した構成を備えた本実施の形態に係るサウナ装置１０の使用方法について説明する。
【００２４】
先ず、給排水タンク２９から配管２８を介して加熱タンク１２内に水を入れ、空間２６に加熱設備２５を設置し、オンにする。そうすると、加熱タンク１２内の水温が４０〜６０℃程度まで上昇することに伴い、タイル２２の表面温度が上昇し、ケーシング本体１１の内部は３０〜５０℃の所定温度に加熱される。
【００２５】
このようにケーシング本体１１の内部が所定温度に加熱されたところで、加熱設備２５を空間２６から引き出し、オフにする。その後、使用者が開閉扉１６を開放し、出入口からケーシング本体１１の内部に入り、開放扉１６を閉塞し、タイル２２上に横たわると、使用者は、所望な温度に加熱され、発汗作用により体の新陳代謝が促進される。
【００２６】
この時、ケーシング本体１１には、外部の新鮮空気が給気孔１４により内部に自然に導入されると共に、内部の空気が排気孔１５を介して外部に排出されるため、ケーシング本体１１の内部を常に良好な環境に保持することができる。
【００２７】
そして、このようにサウナ装置１０を使用した後、加熱タンク１２内の水を外部に排出するには、給排水タンク２９内に可搬式の水中ポンプ（図示省略）を入れて、該水中ポンプにより加熱タンク１２内の湯を配管２８及び給排水タンク２９を介して外部に汲み出すことにより行う。
【００２８】
なお、上記した実施の形態では、安全性をより高めるため、使用者がケーシング本体１１の内部に入る前に加熱設備２５を空間２６から引き出し、オフにしているが、ケーシング本体１１の内部又はタイル２２の表面温度が所定温度以上に上昇した場合に警報を発するようにしたり、或いは加熱設備２５自体に安全装置を設けたりすることにより、使用者がケーシング本体１１の内部に入っている間も、加熱設備２５を空間２６に設置したままにして加熱タンク１２内の湯を所定温度に維持するように構成することができる。
【００２９】
また、上記した実施の形態では、加熱タンク１２と給排水タンク２９とを１本の配管２９により接続しているが、図５に示すように、加熱タンク１２と給排水タンク２９とを２本の循環配管２９により接続して循環ポンプ３０を設けると共に、図３中において破線で示すように加熱タンク１２の内部に仕切板３１を設け、加熱タンク１２と給排水タンク２９との間を湯が循環するように構成してもよい。これにより、長時間使用しても湯が冷め難くなり、業務用にも使用し易くなる。
【００３０】
次に、図６を参照しつつ、本考案の第２の実施の形態に係るサウナ装置について説明する。なお、以下の説明では、説明の簡略化のため、上記した第１の実施の形態に係るサウナ装置１０と同様の構成については、図６中、図１〜図５と同一の符号を付し、その詳細な説明は省略する。
【００３１】
本実施の形態に係るサウナ装置５０では、第１の実施の形態の場合の給排水タンク２９の代わりに、貯湯タンク５１が設けられている。この貯湯タンク５１はケーシング本体１１の前方に近接して設けられ、内部に２０リットル程度の湯を収容可能なように形成されている。そして、貯湯タンク５１の下方には、貯湯タンク５１とは別個の独立した加熱設備２５を設置可能な空間５２が形成されている。また、加熱タンク１２と貯湯タンク５１との間は循環配管５３で接続され、この循環配管５３に循環ポンプ５４が設けられている。
【００３２】
このような構成を備えたサウナ装置５０において、空間５２に設置された加熱設備２５によって加熱された貯湯タンク５１内の湯は循環ポンプ５４により循環配管５３を通って加熱タンク１２に供給される。そして、加熱タンク１２内の水温が４０〜６０℃程度まで上昇することに伴い、タイル２２の表面温度が上昇し、ケーシング本体１１の内部は３０〜５０℃の所定温度に加熱される。
【００３３】
このようにケーシング本体１１の内部が所定温度に加熱されたところで、加熱設備２５を空間５２から引き出し、オフにする。その後、使用者が開閉扉１６を開放し、出入口からケーシング本体１１の内部に入り、開放扉１６を閉塞し、タイル２２上に横たわると、使用者は、所望な温度に加熱され、発汗作用により体の新陳代謝が促進される。
【００３４】
この時、ケーシング本体１１には、外部の新鮮空気が給気孔１４により内部に自然に導入されると共に、内部の空気が排気孔１５を介して外部に排出されるため、ケーシング本体１１の内部を常に良好な環境に保持することができる。
【００３５】
なお、上記した実施の形態では、安全性をより高めるため、使用者がケーシング本体１１の内部に入る前に加熱設備２５を空間５２から引き出し、オフにしているが、ケーシング本体１１の内部又はタイル２２の表面温度が所定温度以上に上昇した場合に警報を発するようにしたり、或いは加熱設備２５自体に安全装置を設けたりすることにより、使用者がケーシング本体１１の内部に入っている間も、加熱設備２５を空間５２に設置したままにして加熱タンク１２内の湯を所定温度に維持するように構成することができる。
【００３６】
このように上記した本考案の第１の実施の形態に係るサウナ装置１０及び第２の実施の形態に係るサウナ装置５０によれば、ケーシング本体１１の内部が、加熱タンク１２内の湯により加熱されるため、ケーシング本体１１の内部が異常な高温になることがない。したがって、ケーシング本体１１の内部の使用者が火傷をしたりする事故の発生を確実に防止することができ、安全性及び信頼性の向上を図ることができる。
【００３７】
また、本考案の第１の実施の形態に係るサウナ装置１０及び第２の実施の形態に係るサウナ装置５０は、内部に湯を収容する加熱タンク１２にタイル２２が直接貼着される構造を採用しているため、施工の簡素化が図れると共に、伝熱効率やエネルギー効率を容易に高めることができ、省エネルギー性の向上を図ることができる。
【符号の説明】
【００３８】
１０          サウナ装置
１１          ケーシング本体
１２          加熱タンク
２２          タイル
２５          加熱設備
２６          空間
５０          サウナ装置
５２          空間
５３          循環配管
５４          循環ポンプ
【図１】
0003150556.tif 000003
【図２】
0003150556.tif 000004
【図３】
0003150556.tif 000005
【図４】
0003150556.tif 000006
【図５】
0003150556.tif 000007
【図６】
0003150556.tif 000008